(57)【特許請求の範囲】
【請求項１】
ナットおよびボルト頭部を収容するための嵌合穴とその底面に前記嵌合穴より小さい径の穴を備えたソケット本体に、ボルト挿入穴を備え、前記嵌合穴より小さい径の穴と外形が同一形状でかつ長手方向に同一断面形状を有する樹脂スペーサーを前記嵌合穴より小さい径の穴に嵌挿して、前記樹脂スペーサーの前端面を前記底面より突出させ、前記樹脂スペーサーの前端面と前記ソケット本体の先端面の間の距離を、ナットおよびボルト頭部の高さより小さく設定し、被締結物と前記ソケット本体の先端面が接触せず、さらにナット上面およびボルト頭部上面と前記底面が接触しないことを特徴とする締結ソケット。
【発明の詳細な説明】
【技術分野】
【０００１】本発明は、ナットまたはボルト等を締結する時に使用する締結ソケットに関するものである。
【背景技術】
【０００２】従来の締結ソケットとして、特開２００８−１４２７９４号（締結工具）が開示されている。【０００３】前記の公開特許公報に記載されているソケット本体（一般的に金属製）の外部には、相対回転可能な樹脂カバーが装着されているため、ソケット本体の先端面が被締結物を傷つける事を防止している。【０００４】締結作業時における、ソケット本体を被締結物側に押し付ける方向の力により、樹脂カバーフランジ部は、被締結物とソケット本体の先端面との間に圧着された状態となる。【０００５】すなわち、ソケット本体が回転すると、ソケット本体の先端面と樹脂カバーフランジ部は、圧着された状態のまま相対回転を生じる。【０００６】電動工具によって、前記圧着された相対回転が高速で行われると、ソケット本体の先端面が、樹脂カバーフランジ部を磨耗させ、最終的には樹脂カバーフランジ部が消滅し、ソケット本体の先端面が被締結物を傷つけるという問題が生じる。【０００７】さらに、従来の締結ソケットとして、特開平１０−１１３８２９号（締付用ソケット）が開示されている。【０００８】前記の公開特許公報に記載されているソケット本体（一般的に金属製）の外部にも樹脂カバーが装着されているが、ナットまたはボルト頭部（以下、ナット等）が収容されるソケット本体の六角穴の底面（ソケット本体内部の段差部）とソケット本体の先端面との距離を小さくする事によって、樹脂カバーフランジ部が被締結物と接触する事を軽減させ、樹脂カバーフランジ部が被締結物とソケット本体の先端面との間に圧着されて磨耗する事を防止していると推定される。【０００９】しかし、締結作業時におけるソケット本体を被締結物側に押し付ける方向の力により、ナット等が、前記六角穴の底面と圧着された状態となる。【００１０】ソケット本体の六角穴とナット等側面には、収容のために必要な隙間があるため、ソケット本体が回転すると、前記六角穴の底面とナット等上面は圧着された状態のまま、前述の隙間に相当する僅かな相対回転が生じる。【００１１】一般にインパクトレンチまたはインパクトドライバーと称される電動工具（例えば、特開平６−１８２６７４号に記載されている回転衝撃工具）の衝撃または振動によって、前記圧着された相対回転が往復繰り返し行われ、同時に前記六角穴の底面がナット等上面への打撃を繰り返し行うため、前記六角穴の底面がナット等上面を傷付けるという問題が生じる。
【先行技術文献】
【特許文献】
【００１２】
【特許文献１】特開２００８−１４２７９４号公報
【特許文献２】特開平１０−１１３８２９号公報
【特許文献３】特開平６−１８２６７４号公報
【発明の概要】
【発明が解決しようとする課題】
【００１３】屋根や外壁の施工作業において、ナットまたはボルト等の締結作業が多く行われる。この時使用される締結ソケットが、建築金具を傷つけ、錆びを誘発し、建物の意匠性および耐久性を低下させている。近年、太陽電池モジュールや緑化設備（以下、太陽電池モジュール等）が屋根上に設置される事が増加しており、それらの点検のために、人が屋根上に登る機会が増加している。太陽電池モジュール等は付加価値の高い設備であり、高い意匠性が求められるため、それらの取付部材の耐食性能はもちろんだが、従来から使用されていた建築金具にも高い耐食性能が求められるようになった。本発明の課題は、ナットまたはボルト等の締結作業時に建築金具や太陽電池モジュール等の部材を傷つける事が少ない締結ソケットを提供する事である。
【課題を解決するための手段】
【００１４】上記課題を解決するための手段として、実施例１の発明は、ナットおよびボルト頭部を収容するための嵌合穴３を備えたソケット本体１と、前記嵌合穴３に嵌挿し、ボルト挿入穴１２を備えた樹脂スペーサー１０とを有し、前記樹脂スペーサー１０の前端面１１と前記ソケット本体１の先端面４の間の距離を、ナットの高さ３１およびボルト頭部の高さ３２より小さく設定し、被締結物に前記ソケット本体１の先端面４が接触しないことを特徴とする締結ソケットである。【００１５】上記課題を解決するための手段として、実施例２の発明は、ナットおよびボルト頭部を収容するための嵌合穴８とその底面７に前記嵌合穴８より小さい径の穴６を備えたソケット本体５に、ボルト挿入穴１４を備えた樹脂スペーサー１３を前記嵌合穴８より小さい径の穴６に嵌挿して、前記樹脂スペーサー１３の前端面１５を前記底面７より突出させ、前記樹脂スペーサー１３の前端面１５と前記ソケット本体５の先端面９の間の距離を、ナットの高さ３１およびボルト頭部の高さ３２より小さく設定し、被締結物と前記ソケット本体５の先端面９が接触せず、さらにナット上面２６ａおよびボルト頭部上面３０ａと前記底面７が接触しないことを特徴とする締結ソケットである。【００１６】上記課題を解決するための手段として、実施例３の発明は、ナットおよびボルト頭部を収容するための嵌合穴８とその底面７に前記嵌合穴８より小さい径の穴６を備えたソケット本体５に、前端面１７にボルト挿入穴１８ａならびに前記嵌合穴８と同様な断面形状のフランジ１６ａを備えた樹脂スペーサー１６を、前記嵌合穴８より小さい径の穴６に嵌挿して、前記樹脂スペーサー１６のフランジ１６ａを前記底面７より突出させ、前端面１７と前記ソケット本体５の先端面９の間の距離を、ナットの高さ３１およびボルト頭部の高さ３２より小さく設定し、被締結物と前記ソケット本体５の先端面９が接触せず、さらにナット上面２６ａおよびボルト頭部上面３０ａと前記底面７が接触しないことを特徴とする締結ソケットである。【００１７】上記課題を解決するための手段として、実施例４の発明は、実施例１〜３に記載の前記樹脂スペーサー１０、１３、１６の、後端面１１ａ、１４ａ、１７ａから前端面１１、１４、１８ａに向かって前記樹脂スペーサーｃ、ｄ、ｅを縦割りにする溝１９を１つ以上設けることによって、前記樹脂スペーサー１０、１３、１６の周縁部が弾性的に前記ソケット本体１の前記嵌合穴３、および前記ソケット本体５の前記嵌合穴より小さい径の穴６に圧接することを特徴とする締結ソケットである。
【発明の効果】
【００１８】実施例１の発明は、ソケット本体に樹脂スペーサーを嵌挿する事によって、ソケット本体の先端面が被締結物に接触しないため、傷が防止され、被締結物の本来の耐食性能を発揮させる事を可能とした。【００１９】実施例２の発明は、ソケット本体に樹脂スペーサーを嵌挿する事によって、ソケット本体の先端面と被締結物が接触しないため、またソケット本体の嵌合穴底面とナットまたはボルト頭部（以下、ナット等）が接触しないため、傷が防止され、被締結物およびナット等の本来の耐食性能を発揮させる事を可能とした。【００２０】実施例３の発明は、実施例２に記載の樹脂スペーサーの前端面にフランジを設ける事によって、樹脂スペーサーのナット等に接触する面積を拡大し、締結作業時における、ソケット本体を被締結物側に押し付ける方向の力に対しての樹脂スペーサーの耐久性を向上させる事を可能とした。【００２１】実施例４の発明は、樹脂スペーサーに弾性変形のための溝が設けてあり、ソケット本体と樹脂スペーサーの嵌合強度を安価に確保する事を可能とした。なぜならば、圧入による嵌合組立の場合、ソケット本体と樹脂スペーサーの製作寸法精度を高める必要があるため製造費の高騰が生じ、また接着による嵌合組立の場合は、接着材を塗布する作業が必要になるため製造費の高騰が生じるからである。【００２２】実施例１〜４の発明の樹脂スペーサーは、ソケット本体（一般的に金属製）との相対回転が生じないため、ソケット本体との回転による磨耗が生じない。また樹脂スペーサーはナット等上面との相対回転が少ないため、ナット等上面の接触による磨耗が極めて少ない（ソケット本体の嵌合穴とナット等側面との隙間に相当する僅かな相対回転は生じている）。また樹脂スペーサーはソケット本体の内部にあり、締結作業中およびその他作業中でも、ナット等以外の物に接触しないため、損傷の危険が極めて少ない。よって樹脂スペーサーの耐久性は極めて高い。【００２３】実施例１〜４の発明は、市場に一般的な締結ソケットを追加工する事なく、そのまま流用する事ができるため、安価に供給する事が可能である。
【図面の簡単な説明】
【００２４】
【図１】（Ｉ）および（ＩＩ）は、実施例１の組立時の断面図および正面図
【図２】（Ｉ）および（ＩＩ）は、実施例２の組立時の断面図および正面図
【図３】（Ｉ）および（ＩＩ）は、実施例３の組立時の断面図および正面図
【図４】（Ｉ）および（ＩＩ）は、実施例４の組立時の断面図および正面図
【図５】（Ｉ）および（ＩＩ）は、ソケット本体ａの断面図および正面図
【図６】（Ｉ）および（ＩＩ）は、ソケット本体ｂの断面図および正面図
【図７】（Ｉ）および（ＩＩ）は、樹脂スペーサーｃの平面図および正面図
【図８】（Ｉ）および（ＩＩ）は、樹脂スペーサーｄの平面図および正面図
【図９】（Ｉ）および（ＩＩ）は、樹脂スペーサーｅの平面図および正面図
【図１０】（Ｉ）および（ＩＩ）は、樹脂スペーサーｆの平面図および正面図
【図１１】従来の締結ソケットの先端面が、被締結物に接触する状況を示す図
【図１２】従来の締結ソケットが、ナット等に接触する状況を示す図
【図１３】本発明の締結ソケットの、使用状況を示す図
【図１４】（Ｉ）から（ＶＩ）は樹脂スペーサーの溝の形状例を示す図
【図１５】（Ｉ）、（ＩＩ）および（ＩＩＩ）はソケット本体の嵌合穴の形状例を示す図
【発明を実施するための形態】
【実施例１】
【００２５】本発明の実施例１を図１、図５、図７に基づいて説明する。ナットおよびボルト頭部を収容するための嵌合穴３を備えたソケット本体１と、前記嵌合穴３に嵌挿し、ボルト挿入穴１２を備えた樹脂スペーサー１０とを有し、前記樹脂スペーサー１０の前端面１１と前記ソケット本体１の先端面４の間の距離を、ナットの高さ３１およびボルト頭部の高さ３２より小さく設定し、被締結物に前記ソケット本体１の先端面４が接触しないことを特徴とする締結ソケットである。前記樹脂スペーサー１０は、前記ソケット本体１に挿入後の脱落防止のため、圧入もしくは接着剤で固定しても良い。
【実施例２】
【００２６】本発明の実施例２を図２、図６、図８に基づいて説明する。ナットおよびボルト頭部を収容するための嵌合穴８とその底面７に前記嵌合穴８より小さい径の穴６を備えたソケット本体５に、ボルト挿入穴１４を備えた樹脂スペーサー１３を前記嵌合穴８より小さい径の穴６に嵌挿して、前記樹脂スペーサー１３の前端面１５を前記底面７より突出させ、前記樹脂スペーサー１３の前端面１５と前記ソケット本体５の先端面９の間の距離を、ナットの高さ３１およびボルト頭部の高さ３２より小さく設定し、被締結物と前記ソケット本体５の先端面９が接触せず、さらにナット上面２６ａおよびボルト頭部上面３０ａと前記底面７が接触しないことを特徴とする締結ソケットである。前記樹脂スペーサー１３は、前記ソケット本体５に挿入後の脱落防止のため、圧入もしくは接着剤で固定しても良い。
【実施例３】
【００２７】本発明の実施例３を図３、図６、図９に基づいて説明する。ナットおよびボルト頭部を収容するための嵌合穴８とその底面７に前記嵌合穴８より小さい径の穴６を備えたソケット本体５に、前端面１７にボルト挿入穴１８ａならびに前記嵌合穴８と同様な断面形状のフランジ１６ａを備えた樹脂スペーサー１６を、前記嵌合穴８より小さい径の穴６に嵌挿して、前記樹脂スペーサー１６のフランジ１６ａを前記底面７より突出させ、前端面１７と前記ソケット本体５の先端面９の間の距離を、ナットの高さ３１およびボルト頭部の高さ３２より小さく設定し、被締結物と前記ソケット本体５の先端面９が接触せず、さらにナット上面２６ａおよびボルト頭部上面３０ａと前記底面７が接触しないことを特徴とする締結ソケットである。前記樹脂スペーサー１６は、前記ソケット本体５に挿入後の脱落防止のため、圧入もしくは接着剤で固定しても良い。
【実施例４】
【００２８】本発明の実施例４を図４、図６、図７、図８、図９に基づいて説明する。実施例１〜３に記載の前記樹脂スペーサー１０、１３、１６の、後端面１１ａ、１４ａ、１７ａから前端面１１、１４、１８ａに向かって前記樹脂スペーサー１０、１３、１６を縦割りにする溝１９を１つ以上設けることによって、前記樹脂スペーサー１０、１３、１６の周縁部が弾性的に前記ソケット本体１の前記嵌合穴３、および前記ソケット本体５の前記嵌合穴より小さい径の穴６に圧接することを特徴とする締結ソケットである。前記樹脂スペーサー１０、１３、１６は、前記ソケット本体１および５に挿入後の脱落防止のため、接着剤で固定しても良い。
【符号の説明】
【００２９】  １  ソケット本体ａ
３  嵌合穴
４  先端面
５  ソケット本体ｂ
６  嵌合穴より小さい径の穴
７  嵌合穴の底面
８  嵌合穴
９  先端面
１０  樹脂スペーサーｃ
１１  前端面
１１ａ  後端面
１２  ボルト挿入穴
１３  樹脂スペーサーｄ
１４  ボルト挿入穴
１４ａ  後端面
１５  前端面
１６  樹脂スペーサーｅ
１６ａ  フランジ
１７  前端面
１７ａ  後端面
１８  フランジ後端面
１８ａ  ボルト挿入穴
１９  溝
２０  前端面
２１  後端面
２２  ソケット先端面と座金（被締結物）の接触部
２３  ソケット嵌合穴の底面とナット上面（締結具）の接触部
２４  ソケット先端面と座金（被締結物）の非接触部
２５  ボルト（締結具）
２５ａ  ボルト端部（締結具）
２６  ナット（締結具）
２６ａ  ナット上面（締結具）
２７  折板屋根（被締結物）
２７ａ  タイトフレーム（被締結物）
２８  座金（被締結物）
２９  電動回転具
３０  ボルト（締結具）
３０ａ  ボルト頭部上面（締結具）
３１  ナットの高さ
３２  ボルトの高さ
【図１】
0005458269.tif 000002
【図２】
0005458269.tif 000003
【図３】
0005458269.tif 000004
【図４】
0005458269.tif 000005
【図５】
0005458269.tif 000006
【図６】
0005458269.tif 000007
【図７】
0005458269.tif 000008
【図８】
0005458269.tif 000009
【図９】
0005458269.tif 000010
【図１０】
0005458269.tif 000011
【図１１】
0005458269.tif 000012
【図１２】
0005458269.tif 000013
【図１３】
0005458269.tif 000014
【図１４】
0005458269.tif 000015
【図１５】
0005458269.tif 000016